(57)【特許請求の範囲】
【請求項１】
車両の自動運転エリア内における自動運転制御を支援するようになされた自動運転制御支援装置であって、
前記車両の自動運転が開始されるときに、前記車両の目的地が設定されていない場合、前記自動運転エリアの範囲内に、前記自動運転の仮目的地を設定する仮目的地設定部と、
前記車両が前記仮目的地設定部によって設定された前記仮目的地までの前記自動運転を開始した後に、ユーザが所望する目的地の設定を受け付ける目的地設定部とを備え、
前記仮目的地設定部は、前記自動運転エリアの範囲内において、前記車両が現在走行中の道路の種類と異なる種類の道路に前記仮目的地が設定されないようにし、前記車両が現在走行中の道路と同種の道路上にある、前記車両の現在位置から最も遠い地点を、前記自動運転の仮目的地として設定する
ことを特徴とする自動運転制御支援装置。
【請求項２】
前記車両が前記仮目的地設定部によって設定された前記仮目的地までの前記自動運転を開始した後に、前記自動運転エリアの範囲内における、前記車両が現在走行中の道路と同種の道路上の各々について、前記車両の現在位置から最も遠い地点を、前記ユーザが所望する目的地の候補として前記ユーザに提示する目的地候補提示部
をさらに備えることを特徴とする請求項１に記載の自動運転制御支援装置。
【請求項３】
前記車両が前記自動運転エリア内に進入したことを検出する検出部と、
前記車両が前記自動運転エリア内に進入したことが前記検出部によって検出された場合、前記自動運転を開始する自動運転実行制御部と
を備えることを特徴とする請求項１または２に記載の自動運転制御支援装置。
【請求項４】
車両の自動運転エリア内における自動運転制御を支援するようになされた自動運転制御支援装置による自動運転制御支援方法であって、
前記自動運転制御支援装置の仮目的地設定部が、前記車両の自動運転が開始されるときに、前記車両の目的地が設定されていない場合、前記自動運転エリアの範囲内に、前記自動運転の仮目的地を設定する仮目的地設定工程と、
前記自動運転制御支援装置の目的地設定部が、前記車両が前記仮目的地設定部によって設定された前記仮目的地までの前記自動運転を開始した後に、ユーザが所望する目的地の設定を受け付ける目的地設定工程とを備え、
前記仮目的地設定工程において、前記仮目的地設定部は、前記自動運転エリアの範囲内において、前記車両が現在走行中の道路の種類と異なる種類の道路に前記仮目的地が設定されないようにし、前記車両が現在走行中の道路と同種の道路上にある、前記車両の現在位置から最も遠い地点を、前記自動運転の仮目的地として設定する
ことを特徴とする自動運転制御支援方法。
【発明の詳細な説明】
【技術分野】
【０００１】
本発明は、自動運転制御支援装置および自動運転制御支援方法に関し、特に、車両の自動運転エリア内における自動運転制御を支援するようになされた自動運転制御支援装置および自動運転制御支援方法に用いて好適なものである。
【背景技術】
【０００２】
現在、自動運転に関する研究開発が盛んに行われている。今後は、特定の一部の地域または道路を自動運転エリアとして設定し、この自動運転エリア内に限り自動運転を可能にすることが想定されている。一般的に、自動運転を行うか否かは、運転者が切り替えスイッチで選択するようになっている。また、目的地が設定されていることが、自動運転を行う前提となっている。したがって、目的地が設定されていないときに自動運転を開始したい場合には、車両を停車させて目的地を設定した後に、切り替えスイッチを操作する必要がある。
【０００３】
例えば、下記特許文献１には、運転者が自動運転スイッチをオンにするだけで、運転者が設定した目的地までの自動運転進路を生成して、当該目的地までの自動運転を開始するようにした技術が開示されている。なお、下記特許文献１の技術では、自動運転を開始するときに目的地が未設定の場合（誘導経路の設定なしの場合）、道なり自動運転のための進路（運転者の走行継続意志がある場合）または自動停車のための進路（運転者の走行継続意志がない場合）を生成して自動運転を開始するようになっている。
【先行技術文献】
【特許文献】
【０００４】
【特許文献１】国際公開第２０１１／１５８３４７号
【発明の概要】
【発明が解決しようとする課題】
【０００５】
しかしながら、上記特許文献１の技術では、目的地が未設定の場合に生成される道なり自動運転のための進路が、ユーザが所望する目的地の方向ではない場合、自動運転を途中で中止して、その地点からユーザが所望する目的地まで手動運転を行わなければならない。このため、運転者ができるだけ長く自動運転を行うことを望んでいたとしても、自動運転が短い期間で終了してしまうことがあるといった問題が生じる。
【０００６】
本発明は、このような問題を解決するために成されたものであり、自動運転を開始する際に目的地が設定されてなくとも、車両を停車させることなく自動運転を開始させて、自動運転エリア内でできるだけ長く自動運転を行うことができるようにすることを目的とする。
【課題を解決するための手段】
【０００７】
上記した課題を解決するために、本発明では、自動運転エリア内で車両の自動運転が開始されるときに、目的地が設定されていない場合、自動運転エリアの範囲内に自動運転の仮目的地を設定し、車両が設定された仮目的地までの自動運転を開始した後に、ユーザが所望する目的地の設定を受け付けるようにし、仮目的地の設定に際し、自動運転エリアの範囲内において、車両が現在走行中の道路の種類と異なる種類の道路に仮目的地が設定されないようにし、車両が現在走行中の道路と同種の道路上にある、車両の現在位置から最も遠い地点を、自動運転の仮目的地として設定するようにしている。
【発明の効果】
【０００８】
上記のように構成した本発明によれば、車両の自動運転が開始されるときに、目的地が設定されていない場合であっても、一旦停車して目的地を設定する操作を行うことなく、ひとまず仮目的地を設定して自動運転を開始することができる。そして、その自動運転が行われている間に、ユーザが所望する目的地を設定することで、ユーザが所望する目的地のある方向へ自動運転を継続することができるようになる。すなわち、ユーザが所望する目的地への進行方向が、仮目的地への進行方向と異なる場合であっても、仮目的地までの自動運転から手動運転に切り替えて進行方向を修正する必要はない。このため、本発明によれば、自動運転を開始する際に目的地が設定されてなくとも、車両を停車させることなく自動運転を開始させて、自動運転エリア内でできるだけ長く自動運転を行うことができる。
【図面の簡単な説明】
【０００９】
【図１】本発明の一実施形態に係る自動運転制御支援装置の機能構成例を示すブロック図である。
【図２】本発明の一実施形態に係る自動運転制御支援装置による処理の一例を示すフローチャートである。
【図３】仮目的地設定部による仮目的地の設定動作の一例を示す図である。
【図４】目的地設定部による目的地の設定動作の一例を示す図である。
【発明を実施するための形態】
【００１０】
以下、本発明の一実施形態を図面に基づいて説明する。図１は、本発明の一実施形態に係る自動運転制御支援装置１０の機能構成例を示すブロック図である。
【００１１】
図１に示す本実施形態の自動運転制御支援装置１０は、予め定められた自動運転エリアの範囲内において自動運転装置２０による自動運転が可能な車両に搭載されている。自動運転装置２０は、自動運転エリアの範囲内において、車両の自動運転が行われるように、車両のアクセル操作、ブレーキ操作、ハンドル操作等を制御する。
【００１２】
図１に示すように、本実施形態の自動運転制御支援装置１０は、地図データ記憶部１１、自車位置検出装置１２、目的地記憶部１３、タッチパネル１４およびディスプレイ１５を備えている。また、自動運転制御支援装置１０は、その機能構成として、検出部１０１、仮目的地設定部１０２、経路探索部１０３、自動運転実行制御部１０４、目的地候補提示部１０５および目的地設定部１０６を備えている。
【００１３】
上記各機能ブロック１０１〜１０６は、ハードウェア、ＤＳＰ（Digital Signal Processor）、ソフトウェアの何れによっても構成することが可能である。例えばソフトウェアによって構成する場合、上記各機能ブロック１０１〜１０６は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１４】
地図データ記憶部１１は、地図データを記憶する。当該地図データには、ノード情報、道路リンク情報、施設データ、地名データ等が含まれている。また、地図データには、各道路の道路種別を示す情報、および、自動運転エリアの範囲を示す情報が含まれている。
【００１５】
自車位置検出装置１２は、車両の現在位置を検出する。自車位置検出装置１２は、例えば、ＧＰＳ（Global Positioning System）と自律航法ユニットとを備えて構成されている。
【００１６】
目的地記憶部１３は、後述する仮目的地設定部１０２によって自動運転の仮目的地が設定されると、当該仮目的地を記憶する。また、目的地記憶部１３は、後述する目的地設定部１０６によってユーザが所望する目的地が設定されると、当該ユーザが所望する目的地を記憶する。
【００１７】
タッチパネル１４は、各種操作（例えば、ユーザが所望する目的地の設定操作等）を行うための操作部の一例である。タッチパネル１４は、ディスプレイ１５の表面に重ねて設けられている。
【００１８】
ディスプレイ１５は、各種表示画面（例えば、ユーザが所望する目的地の候補の提示画面等）を表示する。ディスプレイ１５には、例えば液晶ディスプレイ、有機ＥＬディスプレイ等が用いられる。
【００１９】
検出部１０１は、車両が自動運転エリア内に進入したことを検出する。また、検出部１０１は、車両が自動運転エリア外に退出したことを検出する。具体的には、検出部１０１は、自車位置検出装置１２によって検出された車両の現在位置が、予め定められている自動運転エリアの範囲外から範囲内に移動した場合、車両が自動運転エリア内に進入したことを検出する。また、検出部１０１は、自車位置検出装置１２によって検出された車両の現在位置が、自動運転エリアの範囲内から範囲外に移動した場合、車両が自動運転エリア外に退出したことを検出する。
【００２０】
自動運転実行制御部１０４は、車両が自動運転エリア内に進入したことが検出部１０１によって検出された場合、自動運転装置２０による車両の自動運転を開始する。また、自動運転実行制御部１０４は、車両が自動運転エリア外に退出したことが検出部１０１によって検出された場合、自動運転装置２０による車両の自動運転を終了する。
【００２１】
ここで、車両が自動運転エリア内に進入したときに、目的地が設定されている場合、自動運転実行制御部１０４は、既に設定されている目的地までの自動運転を開始する。一方、車両が自動運転エリア内に進入したときに、目的地が設定されていない場合、自動運転実行制御部１０４は、経路探索部１０３によって探索された経路による、仮目的地設定部１０２によって設定された仮目的地までの自動運転を開始する。また、車両が仮目的地までの自動運転を行っているときに、ユーザが所望する目的地の設定を目的地設定部１０６が受け付けた場合、自動運転実行制御部１０４は、経路探索部１０３によって探索された経路による、ユーザが所望する目的地までの自動運転を開始する。
【００２２】
仮目的地設定部１０２は、車両の自動運転が開始されるときに、車両の目的地が設定されていない場合、自動運転エリアの範囲内に、自動運転の仮目的地を設定する。例えば、仮目的地設定部１０２は、自動運転エリアの範囲内において、車両が現在走行中の道路と同種の道路上にある、車両の現在位置から最も遠い地点を、自動運転の仮目的地として設定する。これにより、仮目的地までの自動運転を開始してから、ユーザが所望する目的地が設定されるまでの間、できるだけ長く自動運転を行うことができる。なお、仮目的地設定部１０２が設定した仮目的地は、目的地記憶部１３に記憶される。
【００２３】
経路探索部１０３は、仮目的地設定部１０２によって設定された仮目的地が目的地記憶部１３に記憶された場合、自車位置検出装置１２によって検出された車両の現在位置から当該仮目的地までの経路を探索する。また、経路探索部１０３は、目的地設定部１０６によって設定されたユーザが所望する目的地が目的地記憶部１３に記憶された場合、自車位置検出装置１２によって検出された車両の現在位置から当該ユーザが所望する目的地までの経路を探索する。
【００２４】
目的地候補提示部１０５は、車両が仮目的地設定部１０２によって設定された仮目的地までの自動運転を開始した後に、ユーザが所望する目的地の候補をユーザに提示（ディスプレイ１５に表示）する。例えば、目的地候補提示部１０５は、車両が現在走行中の自動運転エリアの範囲内における、車両が現在走行中の道路と同種の道路上の各々について、車両の現在位置から最も遠い地点を、ユーザが所望する目的地の候補としてユーザに提示する。これにより、現在走行中の道路と同種の道路で自動運転が継続され、且つ、自動運転の継続後もできるだけ長く自動運転を行うことができるような目的地の設定をユーザに促すことができる。なお、現在走行中の道路は、ユーザが好んで選択した種類の道路である可能性が高い。よって、現在走行中の道路と同種の道路で自動運転が継続されることは、ユーザが好んで選択した種類の道路で、できるだけ長く自動運転を行うことができるということである。
【００２５】
目的地設定部１０６は、車両が仮目的地設定部１０２によって設定された仮目的地までの自動運転を開始した後、ユーザが所望する目的地の候補を目的地候補提示部１０５がユーザに提示したときに、ユーザが所望する目的地の設定を受け付ける。例えば、目的地設定部１０６は、目的地候補提示部１０５が提示した目的地の中からユーザが選択した目的地の設定を受け付ける。また、目的地設定部１０６は、目的地候補提示部１０５が提示した目的地以外にユーザが任意に選択した目的地の設定を受け付ける。なお、目的地設定部１０６が設定したユーザが所望する目的地は、目的地記憶部１３に記憶される。
【００２６】
〔自動運転制御支援装置１０による処理の一例〕
図２は、本発明の一実施形態に係る自動運転制御支援装置１０による処理の一例を示すフローチャートである。図２に示す処理は、例えば、自動運転制御支援装置１０を備えた車両が走行を開始したときに実行される。
【００２７】
まず、検出部１０１が、車両が自動運転エリア内に進入したか否かを判断する（ステップＳ２０２）。ここで、車両が自動運転エリア内に進入していないと検出部１０１が判断した場合（ステップＳ２０２：Ｎｏ）、検出部１０１は、ステップＳ２０２の処理を再度実行する。
【００２８】
一方、車両が自動運転エリア内に進入したと検出部１０１が判断した場合（ステップＳ２０２：Ｙｅｓ）、仮目的地設定部１０２が、目的地が設定されているか否かを判断する（ステップＳ２０４）。ここで、目的地が設定されていると仮目的地設定部１０２が判断した場合（ステップＳ２０４：Ｙｅｓ）、自動運転実行制御部１０４が、既に設定されている目的地までの自動運転を開始し（ステップＳ２１８）、自動運転制御支援装置１０は、ステップＳ２２０へ処理を進める。
【００２９】
一方、目的地が設定されていないと仮目的地設定部１０２が判断した場合（ステップＳ２０４：Ｎｏ）、仮目的地設定部１０２が、自動運転の仮目的地を設定する（ステップＳ２０６）。そして、経路探索部１０３が、ステップＳ２０６で設定された仮目的地までの経路を探索する（ステップＳ２０８）。また、自動運転実行制御部１０４が、ステップＳ２０８で探索された経路による、ステップＳ２０６で設定された仮目的地までの自動運転を開始する（ステップＳ２１０）。
【００３０】
その後、目的地候補提示部１０５が、ユーザが所望する目的地の候補を提示する（ステップＳ２１２）。そして、目的地設定部１０６が、ユーザが所望する目的地の設定を受け付けたか否かを判断する（ステップＳ２１４）。ここで、ユーザが所望する目的地の設定を受け付けていないと目的地設定部１０６が判断した場合（ステップＳ２１４：Ｎｏ）、自動運転制御支援装置１０は、ステップＳ２２０へ処理を進める。
【００３１】
一方、ユーザが所望する目的地の設定を受け付けたと目的地設定部１０６が判断した場合（ステップＳ２１４：Ｙｅｓ）、経路探索部１０３が、ステップＳ２１４で設定されたユーザが所望する目的地までの経路を探索する（ステップＳ２１６）。また、自動運転実行制御部１０４が、ステップＳ２１６で探索された経路による、ステップＳ２１４で設定されたユーザが所望する目的地までの自動運転を開始する（ステップＳ２１８）。そして、自動運転制御支援装置１０は、ステップＳ２２０へ処理を進める。
【００３２】
ステップＳ２２０では、検出部１０１が、車両が自動運転エリアから退出したか否かを判断する。ここで、車両が自動運転エリアから退出していないと検出部１０１が判断した場合（ステップＳ２２０：Ｎｏ）、検出部１０１は、ステップＳ２２０の処理を再度実行する。一方、車両が自動運転エリアから退出したと検出部１０１が判断した場合（ステップＳ２２０：Ｙｅｓ）、自動運転実行制御部１０４が、自動運転を終了させる（ステップＳ２２２）。そして、自動運転制御支援装置１０は、図２に示す一連の処理を終了する。
【００３３】
〔仮目的地の設定動作の一例〕
図３は、仮目的地設定部１０２による仮目的地の設定動作の一例を示す図である。図３（ａ），（ｂ）は、本実施形態の自動運転制御支援装置１０が搭載されている車両Ｘが走行中の道路Ａを含む自動運転エリア内の道路図を表している。このうち、図３（ａ）は、車両Ｘが道路Ａ上の自動運転エリアの手前の地点を走行しているときを表している。また、図３（ｂ）は、車両Ｘが道路Ａを走行中に自動運転エリア内に進入したときを表している。
【００３４】
図３（ａ），（ｂ）において、車両Ｘが走行中の道路Ａは、自動運転エリア内を横切る国道である。道路Ａには、自動運転エリア内の交差点Ｐ０において、分岐路Ｂ〜Ｅが接続されている。分岐路Ｂ〜Ｅは、いずれも交差点Ｐ０から自動運転エリア外へと延伸する道路である。分岐路Ｂは、分岐路Ａと同種の国道である高速道路であり、分岐路Ｃ〜Ｅは、分岐路Ａと異なる種類の道路（例えば、県道）である。
【００３５】
図３（ａ）に示すように、車両Ｘが自動運転エリアの手前を走行中のとき、車両Ｘでは手動運転が行われている。そして、図３（ｂ）に示すように、車両Ｘが自動運転エリア内に進入したとき、車両Ｘでは、検出部１０１によって自動運転エリア内に進入したことが検出され、自動運転実行制御部１０４の制御により、自動運転装置２０による自動運転が開始される。
【００３６】
このとき、車両Ｘの目的地が設定されていない場合、仮目的地設定部１０２により、自動運転の仮目的地が自動運転エリア内に設定される。そして、自動運転実行制御部１０４の制御により、この仮目的地までの自動運転が開始される。
【００３７】
特に、仮目的地設定部１０２は、自動運転エリアの範囲内において、車両Ｘが現在走行中の道路と同種の道路上にある、車両Ｘの現在位置から最も遠い地点を、自動運転の仮目的地として設定する。例えば、図３（ｂ）に示す例では、車両Ｘが現在走行中の道路Ａは国道であり、道路Ａと同種の道路（国道）は道路Ｂである。道路Ａにおける自動運転エリアの終点は地点Ｐ１である。一方、道路Ｂにおける自動運転エリアの終点は地点Ｐ２である。この場合、仮目的地設定部１０２は、地点Ｐ１，Ｐ２のうち、車両Ｘの現在位置から最も遠い地点である地点Ｐ２を、自動運転の仮目的地として設定する。そして、自動運転実行制御部１０４の制御により、この地点Ｐ２までの自動運転が開始される。
【００３８】
〔目的地の設定動作の一例〕
図４は、目的地設定部１０６による目的地の設定動作の一例を示す図である。図３（ｂ）に示したように、車両Ｘにおいて、仮目的地である地点Ｐ２までの自動運転が開始されると、目的地候補提示部１０５が、ユーザが所望する目的地の候補をユーザに提示する。特に、目的地候補提示部１０５は、車両Ｘが現在走行中の自動運転エリアの範囲内における、車両Ｘが現在走行中の道路と同種の道路上の各々について、車両Ｘの現在位置から最も遠い地点を、ユーザが所望する目的地の候補としてユーザに提示する。
【００３９】
例えば、図４（ａ）に示す画面４００は、車両Ｘが地点Ｐ２までの自動運転を開始した後に、目的地候補提示部１０５によってディスプレイ１５に表示される、ユーザが所望する目的地の候補の提示画面の一例である。
【００４０】
図３（ｂ）に示したように、車両Ｘが現在走行中の道路Ａは国道であり、道路Ａと同種の道路（国道）は道路Ｂである。この場合、目的地候補提示部１０５は、自動運転エリア内における道路Ａ，Ｂの各々について、車両Ｘの現在位置から最も遠い地点を、ユーザが所望する目的地の候補としてユーザに提示する。自動運転エリア内において、道路Ａの車両Ｘの現在位置から最も遠い地点は地点Ｐ１である。一方、自動運転エリア内において、道路Ｂの車両Ｘの現在位置から最も遠い地点は地点Ｐ２である。よって、目的地候補提示部１０５は、地点Ｐ１，Ｐ２を、ユーザが所望する目的地の候補としてユーザに提示する。
【００４１】
例えば、図４（ａ）に示す画面４００では、地点Ｐ２を目的地とするための選択ボタン４０２と、地点Ｐ１を目的地とするための選択ボタン４０４とが設けられている。ユーザは、タッチパネル１４により、選択ボタン４０２または選択ボタン４０４を選択することにより、地点Ｐ２または地点Ｐ１を、自身が所望する目的地として設定することができる。
【００４２】
例えば、図４（ｂ）に示す例では、図４（ａ）に示す画面４００において、選択ボタン４０４がユーザによって選択されたことにより、道路Ａ上の地点Ｐ１が、ユーザが所望する目的地として設定されている。これにより、車両Ｘは、道路Ｂ上の地点Ｐ２を仮目的地とする自動運転から、道路Ａ上の地点Ｐ１を新たな目的地とする自動運転へと切り替わる。
【００４３】
なお、図４（ａ）に示す画面４００では、地点Ｐ１，Ｐ２以外の目的地を設定するための選択ボタン４０６がさらに設けられている。例えば、ユーザによって選択ボタン４０６が選択されると、所定の目的地設定画面（図示省略）がディスプレイ１５に表示される。ユーザは、この目的地設定画面から、自身が所望する任意の目的地を設定することができる。このときに設定される目的地は、自動運転エリア内であってもよく、自動運転エリア外であってもよい。もし、自動運転エリア内に目的地が設定された場合、車両Ｘは、その目的地まで自動運転を行うことができる。一方、自動運転エリア外に目的地が設定された場合、車両Ｘは、その目的地までの経路を走行中に自動運転エリアから退出するまで、自動運転を行うことができる。
【００４４】
以上説明したとおり、本発明の一実施形態によれば、車両Ｘの自動運転が開始されるときに、目的地が設定されていない場合であっても、一旦停車して目的地を設定する操作を行うことなく、ひとまず仮目的地を設定して自動運転を自動的に開始することができる。そして、その自動運転が行われている間に、ユーザが所望する目的地を設定することで、ユーザが所望する目的地のある方向へ自動運転を継続することができるようになる。すなわち、ユーザが所望する目的地への進行方向が、仮目的地への進行方向と異なる場合であっても、仮目的地までの自動運転から手動運転に切り替えて進行方向を修正する必要はない。このため、本発明の一実施形態によれば、自動運転を開始する際に目的地が設定されてなくとも、車両を停車させることなく自動運転を開始させて、自動運転エリア内でできるだけ長く自動運転を行うことができる。
【００４５】
特に、本発明の一実施形態によれば、自動運転エリアの範囲内における、車両Ｘの現在位置から最も遠い地点が仮目的地として設定されるため、ユーザが所望する目的地を設定するまでの間、できるだけ長く自動運転を行うことができる。
【００４６】
さらに、本発明の一実施形態によれば、自動運転エリアの範囲内における、車両Ｘが現在走行中の道路と同種の道路上の各々について、車両Ｘの現在位置から最も遠い地点が、ユーザが所望する目的地の候補としてユーザに提示されるため、現在走行中の道路（ユーザが好んで選択した種類の道路）と同種の道路で自動運転が継続され、且つ、自動運転の継続後もできるだけ長く自動運転を行うことができるような目的地の設定をユーザに促すことができる。
【００４７】
なお、上記実施形態では、車両Ｘが自動運転エリア内に進入したときに自動運転を自動的に開始するようにしているが、本発明はこれに限らない。例えば、車両Ｘが自動運転エリア内に進入したときに、切り替えボタンを画面表示させ、ユーザが切り替えボタンを手動で操作することにより、自動運転を開始するようにしてもよい。また、車両Ｘが自動運転エリア内を手動運転で走行中のときに、ユーザが任意のタイミングで切り替えボタンを手動で操作することにより、自動運転を開始するようにしてもよい。これらの場合、１回のボタン操作を行うだけで、仮目的地を設定して自動運転を開始させることができるので、車両を一旦停止させる必要はない。
【００４８】
また、上記実施形態では、ユーザが所望する目的地の候補を選択ボタン形式で提示するようにしているが、本発明はこれに限らない。例えば、ユーザが所望する目的地の候補を地図画面上に明示して、この地図画面上で目的地をユーザに選択させるようにしてもよい。
【００４９】
また、上記実施形態では、現在走行中の道路と同種の道路上にある、車両の現在位置から最も遠い地点を、自動運転の仮目的地として設定するようにしているが、本発明はこれに限らない。例えば、道路の種類は問わず、単に車両の現在位置から最も遠い地点（例えば、図３における地点Ｐ３）を、自動運転の仮目的地として設定するようにしてもよい。また、現在走行中の道路の道なり上にある、車両の現在位置から最も遠い地点（例えば、図３における地点Ｐ１）を、自動運転の仮目的地として設定するようにしてもよい。
【００５０】
また、上記実施形態では、ユーザが所望する目的地の候補を提示して、これら候補の中から、または、これら候補以外から、ユーザが所望する目的地を設定するようにしているが、本発明はこれに限らない。例えば、ユーザが所望する目的地の候補を提示することなく、目的地設定画面をディスプレイ１５に表示させて、この目的地設定画面からユーザが所望する目的地を設定するようにしてもよい。
【００５１】
また、上記実施形態では、自動運転エリアが所定の地域である例を示したが、本発明はこれに限らない。例えば、自動運転エリアが所定の道路であってもよい。この場合、仮目的地設定部１０２は、その道路上の最も遠い地点に、仮目的地するとよい。目的地候補提示部１０５は、その道路上の一または複数の地点を、ユーザが所望する目的地の候補として提示するとよい。
【００５２】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５３】
１０  自動運転制御支援装置
１１  地図データ記憶部
１２  自車位置検出装置
１３  目的地記憶部
１４  タッチパネル
１５  ディスプレイ
２０  自動運転装置
１０１  検出部
１０２  仮目的地設定部
１０３  経路探索部
１０４  自動運転実行制御部
１０５  目的地候補提示部
１０６  目的地設定部
【図１】
0006746306.tif 000002
【図２】
0006746306.tif 000003
【図３】
0006746306.tif 000004
【図４】
0006746306.tif 000005